(57)【要約】      （修正有）【課題】高い構造強度を有する着脱工具を提供する。【解決手段】２つのベース本体３０及び１つの接合部３２を含み、２つのベース本体が、それぞれ１つの第１組立接続部３１及び２つの第１枢接部３３を含み、各ベース本体の第１組立接続部が、開口を有する組立接続空間３４と、組立接続空間の一部を構成する少なくとも１つのアーム部３５とを含み、各ベース本体の２つの第１枢接部がベース本体の一方のアーム部に設けられ、接合部が２つのベース本体の少なくとも一方に接続され、ロッド部材に組み立てて接続される装着ベースと、装着ベースに可動に組み立てて接続され、作業部２１及び第２組立接続部２２を含み、第２組立接続部が作業部に接続され、第２組立接続部が１つの基部２３及び２つの第２枢接部２４を含み、基部が組立接続空間に可動に収容され、２つの第２枢接部がそれぞれ基部の対向する両側に設けられる駆動部材２０と、を含む。【選択図】図２
0003232480.tif 000002
【実用新案登録請求の範囲】
【請求項１】
着脱工具であって、
２つのベース本体及び１つの接合部を含み、前記２つのベース本体が、それぞれ１つの第１組立接続部及び２つの第１枢接部を含み、各前記ベース本体の前記第１組立接続部が、開口を有する組立接続空間と、少なくとも前記組立接続空間の一部を構成する少なくとも１つのアーム部とを含み、各前記ベース本体の前記２つの第１枢接部が前記ベース本体の一方の前記少なくとも１つのアーム部に設けられ、前記接合部が前記２つのベース本体の少なくとも一方に接続され、ロッド部材に組み立てて接続される装着ベースと、
前記装着ベースに可動に組み立てて接続され、作業部及び第２組立接続部を含み、前記第２組立接続部が前記作業部に接続され、前記第２組立接続部が１つの基部及び２つの第２枢接部を含み、前記基部が前記組立接続空間に可動に収容され、前記２つの第２枢接部がそれぞれ前記基部の対向する両側に設けられる駆動部材と、を含む、
着脱工具。
【請求項２】
各前記ベース本体の各前記第１枢接部及び各前記第２枢接部のうち、一方は第１係合部であり、他方は前記第１係合部に回動可能に設けられた第２係合部であり、各前記ベース本体の前記２つの第１枢接部は前記少なくとも１つのアーム部に一体成形され、各前記第２枢接部は前記基部に一体成形され、各前記第１係合部は係合溝であり、各前記第２係合部は係合ボスであり、前記係合ボスが前記係合溝に回動可能に係合される、請求項１に記載の着脱工具。
【請求項３】
各前記第１枢接部は前記第１係合部であり、各前記ベース本体の係合溝は第１方向及び前記第１方向と直交する第２方向に開放され、各前記ベース本体の各前記係合溝は他方の前記ベース本体の前記係合溝の１つと互いに連通している、請求項２に記載の着脱工具。
【請求項４】
各前記係合ボスは拡径部及び縮径部を含み、前記拡径部及び前記縮径部は第１方向に向かって設置され、前記縮径部の外径寸法が前記拡径部の外径寸法よりも小さく、各前記係合溝は大径部と、内径寸法が前記大径部よりも小さい小径部とを含み、前記拡径部は前記大径部内に設けられ、前記縮径部は前記小径部に設けられる、請求項２に記載の着脱工具。
【請求項５】
前記拡径部は前記第１方向において前記縮径部に向かうに従って漸次縮径し、前記大径部は前記第１方向において前記小径部に向かうに従って漸次縮径する、請求項４に記載の着脱工具。
【請求項６】
前記２つのベース本体は前記第２方向において分離可能に互いに接合され、各前記ベース本体の各前記第１係合部と前記第２係合部の一方は前記第１方向において互いに係合され、前記装着ベースは、少なくとも１つの接続部材をさらに含み、各前記接続部材は前記第２方向において前記２つのベース本体に取り外し可能に穿設して接続される、請求項３に記載の着脱工具。
【請求項７】
前記第２枢接部の一方と前記２つのベース本体の前記第１枢接部の一方との間に介在しているワッシャーをさらに含む、請求項１に記載の着脱工具。
【請求項８】
前記第２枢接部には凹溝が設けられ、前記ワッシャーは前期凹溝内に設けられる、請求項７に記載の着脱工具。
【請求項９】
各前記ベース本体は、間隔を空けて設置された前記アーム部を２つ含み、前記２つのアーム部は少なくとも前記組立接続空間の一部を構成し、各前記第１枢接部は前記アーム部の一方に設けられる、請求項１〜８のいずれか１項に記載の着脱工具。
【請求項１０】
各前記第１枢接部は前記第１係合部であり、各前記ベース本体の係合溝は第１方向及び前記第１方向と直交する第２方向に開放され、各前記ベース本体の各前記係合溝は他方の前記ベース本体の前記係合溝の１つと互いに連通しており、前記２つのベース本体は前記第２方向において分離可能に互いに接合され、各前記ベース本体の各前記第１係合部と前記第２係合部の一方は前記第１方向において互いに係合され、前記装着ベースは、少なくとも１つの接続部材をさらに含み、各前記接続部材は前記第２方向において前記２つのベース本体に取り外し可能に穿設して接続され、前記着脱工具は、前記第２枢接部の一方と前記２つのベース本体の前記第１枢接部の一方との間に介在しているワッシャーをさらに含み、前記ワッシャーは側面視弓形のスペーサであり、前記第２係合部には凹溝が設けられ、前記ワッシャーは前期凹溝内に設けられ、各前記係合ボスの拡径部には、前記第１方向における第１端面と前記第１方向の周りに延在している第１傾斜円周面とが設けられ、前記係合溝の大径部には、前記第１端面に向かう第２端面と前記第１方向の周りに延在している第２傾斜円周面とが設けられ、前記第２傾斜円周面と前記第１傾斜円周面は互いに当接し、前記接合部は２つの接続ロッドを含み、各前記ベース本体には１つの前記接続ロッドが設けられ、各前記ベース本体の接続ロッドは、前記第１方向及び前記第２方向と直交する第３方向に向かって延在し、各前記ベース本体は、間隔を空けて設置された前記アーム部を２つ含み、前記２つのアーム部は少なくとも前記組立接続空間の一部を構成し、各前記第１枢接部は前記アーム部の一方に設けられ、各前記ベース本体の各前記第１枢接部と他方の前記ベース本体の前記第１枢接部の１つは一方の前記第２枢接部の対向する両側に取り外し可能に係合される、請求項５に記載の着脱工具。
【考案の詳細な説明】
【技術分野】
【０００１】
本考案は着脱工具に関する。
【背景技術】
【０００２】
従来の着脱工具は、グリップ及び作業ヘッドを含み、該グリップと該作業ヘッドがネジで穿設して接続されることにより、該作業ヘッドがこのネジを軸心にグリップに対して回動するものである。従来の着脱工具は、該グリップ及び該作業ヘッドが孔開けやタッピングにより構造が壊れ、ロック部材（たとえばボルト、スクリュー）を着脱するときの瞬間的なトルクにより該ネジの応力が該グリップ及び作業ヘッドのそれぞれの孔構造に一点集中しやすく、これによりネジのネジ山の崩れや破断を引き起こしやすい。
【０００３】
そこで、上記の問題を解決するために、新規で進歩性を有する着脱工具を提供する必要がある。
【考案の概要】
【考案が解決しようとする課題】
【０００４】
本考案の主な目的は、従来の構造を維持しながら、高い構造強度を有する着脱工具を提供することである。
【課題を解決するための手段】
【０００５】
上記の目的を達成するために、本考案は着脱工具を提供する。
本考案の着脱工具は、２つのベース本体及び１つの接合部を含み、前記２つのベース本体が、それぞれ１つの第１組立接続部及び２つの第１枢接部を含み、各前記ベース本体の前記第１組立接続部が、開口を有する組立接続空間と、少なくとも前記組立接続空間の一部を構成する少なくとも１つのアーム部とを含み、各前記ベース本体の前記２つの第１枢接部が前記ベース本体の一方の前記少なくとも１つのアーム部に設けられ、前記接合部が前記２つのベース本体の少なくとも一方に接続され、ロッド部材に組み立てて接続される装着ベースと、前記装着ベースに可動に組み立てて接続され、作業部及び第２組立接続部を含み、前記第２組立接続部が前記作業部に接続され、前記第２組立接続部が１つの基部及び２つの第２枢接部を含み、前記基部が前記組立接続空間に可動に収容され、前記２つの第２枢接部がそれぞれ前記基部の対向する両側に設けられる駆動部材と、を含む。
【図面の簡単な説明】
【０００６】
【図１】本考案の好ましい実施例の斜視図である。
【図２】本考案の好ましい実施例の分解図である。
【図３】本考案の好ましい実施例の断面図である。
【図４】図３の部分拡大図である。
【図５】本考案の好ましい実施例の使用状態図である。
【考案を実施するための形態】
【０００７】
以下、実施例にて本考案の可能な実施形態を説明するが、本考案の特許範囲を制限するものではない。
【０００８】
図１〜図５には、本考案の好ましい実施例が示されている。本考案の着脱工具１は装着ベース１０及び駆動部材２０を含む。
【０００９】
該装着ベース１０は２つのベース本体３０及び１つの接合部３２を含み、該２つのベース本体３０はそれぞれ１つの第１組立接続部３１及び２つの第１枢接部３３を含み、各該ベース本体３０の該第１組立接続部３１は、開口を有する組立接続空間３４と、少なくとも該組立接続空間３４の一部を構成する少なくとも１つのアーム部３５とを含む。各該ベース本体３０の該２つの第１枢接部３３は、該ベース本体３０の一方の該少なくとも１つのアーム部３５に設けられ、該接合部３２は該２つのベース本体３０の少なくとも一方に接続され、ロッド部材７０に組み立てて接続される。該接合部３２は該２つのベース本体３０の少なくともの一方に接続され、ロッド部材７０に組み立てて接続される。
該駆動部材２０は、該装着ベース１０に可動（回動又は揺動可能に）に組み立てて接続され、作業部２１及び第２組立接続部２２を含む。該第２組立接続部２２は該作業部２１に接続され、該第２組立接続部２２は１つの基部２３及び２つの第２枢接部２４を含む。該基部２３は該組立接続空間３４に可動に収容され、該２つの第２枢接部２４はそれぞれ該基部２３の対向する両側に設けられる。各該ベース本体３０の各該第１枢接部３３及び各該第２枢接部２４のうち、一方は第１係合部であり、他方は該第１係合部に回動可能に設けられた第２係合部である。
各該ベース本体３０の該２つの第１枢接部３３は該少なくとも１つのアーム部３５に一体成形され、各該第２枢接部２４は該基部２３に一体成形される。これにより、独立した２つの部品式の該ベース本体３０により、着脱を容易にするとともに、従来の構造及び高い構造強度を維持する。本実施例では、該２つのベース本体３０、該２つのベース本体３０の該第１組立接続部３１、該２つのベース本体３０の該第１枢接部３３は、それぞれ左、右部分の半分で結合されたものであるが、別の実施例では、左部分と右部分の寸法や形状が異なってもよい。
【００１０】
各該第１係合部は係合溝３３１であり、各該第２係合部は係合ボス２４１であり、該係合ボス２４１は該係合溝３３１に回動可能に係合される。各該ベース本体３０の該第１枢接部３３は第１係合部であり、該駆動部材２０の第２枢接部２４は第２係合部である。各該ベース本体３０の係合溝３３１は第１方向Ｌ１及び該第１方向Ｌ１と直交する第２方向Ｌ２に開放され、各該ベース本体３０の各該係合溝３３１は他方の該ベース本体３０の該係合溝３３１の１つと互いに連通している。
該２つのベース本体３０は、該第２方向Ｌ２において分離可能に互いに係合され、各該ベース本体３０の各該第１係合部と該第２係合部の一方は該第１方向Ｌ１において互いに係合される。このように、迅速な着脱を可能とし、着脱過程において各該アーム部３５が押し広げられて変形することがない。該装着ベース１０は少なくとも１つの接続部材１１をさらに含み、各該接続部材１１は該第２方向Ｌ２において該２つのベース本体３０に取り外し可能に穿設され、かつ該第１組立接続部３１に隣接する。該装着ベース１０は複数の該接続部材１１を含み、各該接続部材１１がネジロック部材であるので、各該接続部材１１にはゆるみや抜けが発生しにくく、結合力が良好である。
【００１１】
各該係合ボス２４１は拡径部２４２及び縮径部２４３を含み、該拡径部２４２及び該縮径部２４３は該第１方向Ｌ１に向かって設置され、該縮径部２４３の外径寸法が該拡径部２４２の外径寸法よりも小さい。各該係合溝３３１は大径部３３２と、内径寸法が該大径部３３２よりも小さい小径部３３３とを含み、該拡径部２４２は該大径部３３２内に設けられ、該縮径部２４３は該小径部３３３に設けられる。
本実施例では、該係合ボス２４１及び該係合溝３３１は、それぞれダブテール形状としてもよく、Ｔ字形としてもよい。該拡径部２４２は該第１方向Ｌ１において該縮径部２４３に向かうに従って漸次縮径し、該大径部３３２は該第１方向Ｌ１において該小径部３３３に向かうに従って漸次縮径し、このようにして相互に係合して位置決め可能である。
該係合ボス２４１の拡径部２４２には、該第１方向Ｌ１における第１端面２５と、該第１方向Ｌ１の周りに延在している第１傾斜円周面２６とが設けられ、該係合溝３３１の大径部３３２には、該第１端面２５に向かう第２端面３６と、該第１方向Ｌ１の周りに延在している第２傾斜円周面３７とが設けられる。該第２傾斜円周面３７と該第１傾斜円周面２６は互いに当接し、該第１端面２５と該第２端面３６との間には隙間３８があり、各該アーム部３５が内向きに引っ掛かることにより、操作に際して外へ押されず、接触面積を大きくして、作用力を分散させて応力を低下させ回動を円滑に行うようになっている。
【００１２】
該着脱工具１は、該第２枢接部２４の一方と該２つのベース本体３０の該第１枢接部３３の一方との間に介在しているワッシャー４０をさらに含む。該第２係合部には凹溝２７が設けられ、該ワッシャー４０は該凹溝２７内に設けられる。該ワッシャー４０は断面弓形のスペーサであり、組み立てが容易であり、しかも、押圧されてわずかに変形した場合、該駆動部材２０と該装着ベース１０の間に弾性当接するのに十分な弾性力を有する。このため、該駆動部材２０と該装着ベース１０との間の摩擦抵抗を向上させ、該駆動部材２０が該装着ベース１０に対して無段式で回動自在に位置決めされている。
【００１３】
該接合部３２は２つの接続ロッド３２１を含み、各該ベース本体３０には１つの該接続ロッド３２１が設けられ、各該ベース本体３０の接続ロッド３２１は、該第１方向Ｌ１及び該第２方向Ｌ２と直交する第３方向Ｌ３に向かって延在する。
該着脱工具１はピン６０及びロッド部材７０をさらに含み、該２つのベース本体３０の接合部３２は該ロッド部材７０に取り外し可能に設けられ、該ピン６０は各該接合部３２及び該ロッド部材７０に取り外し可能に穿設される。これにより、迅速な着脱を可能とする。
該接合部３２は該２つのベース本体３０の一方又は該２つのベース本体３０（たとえば、該２つの接続ロッド３２１はそれぞれ該２つのベース本体３０に接続される）に接続され、該２つの接続ロッド３２１は、左、右部分の半分で結合されたものであり、左部分と右部分は、寸法又は形状が異なる。
【００１４】
各該ベース本体３０は、間隔を空けて設置された該アーム部３５を２つ含み、該２つのアーム部３５は、少なくとも該組立接続空間３４の一部を構成する。各該第１枢接部３３は該アーム部３５の一方に設けられる。本実施例では、各該ベース本体３０の各該第１枢接部３３と、他方の該ベース本体３０の該第１枢接部３３の１つが、それぞれ、該第２枢接部２４の一方の対向する両側に取り外し可能に係合され、迅速に組み立てることができ、かつ結合強度が高く、各該第２枢接部２４の作用力が該２つのベース本体３０に分散される。
【００１５】
該基部２３は、該第１方向Ｌ１における対向する両側に設けられた２つの側端面と、円周面とを含み、該円周面は該２つの側端面の間に接続され、各該第２枢接部２４は該側端面の一方に設けられる。該作業部２１は該円周面に設けられ、径方向に延在しており、各該第２枢接部２４の構造強度が高い。
【符号の説明】
【００１６】
１  着脱工具
１０  装着ベース
１１  接続部材
２０  駆動部材
２１  作業部
２２  第２組立接続部
２３  基部
２４  第２枢接部
２４１  係合ボス
２４２  拡径部
２４３  縮径部
２５  第１端面
２６  第１傾斜円周面
２７  凹溝
３０  ベース本体
３１  第１組立接続部
３２  接合部
３２１  接続ロッド
３３  第１枢接部
３３１  係合溝
３３２  大径部
３３３  小径部
３４  組立接続空間
３５  アーム部
３６  第２端面
３７  第２傾斜円周面
３８  隙間
４０  ワッシャー
６０  ピン
７０  ロッド部材
Ｌ１  第１方向
Ｌ２  第２方向
Ｌ３  第３方向
【図１】
0003232480.tif 000003
【図２】
0003232480.tif 000004
【図３】
0003232480.tif 000005
【図４】
0003232480.tif 000006
【図５】
0003232480.tif 000007